(57)【要約】【課題】  転送に係るデータ以外のデータまたはそのデータ構造及び転送に係るデータの詳細な情報を、データの転送要求を行う通信端末装置に通知することなく、データ転送を行う、情報の漏洩を防止することのできるデータ転送方法を提供すること。【解決手段】  情報処理装置３００は、通信要求を受信してサーバとして通信端末装置２００との通信回線を確立すると、通信要求に基づいてデータ転送の内容及び通信端末装置２００を認識し、通信端末装置２００の指示に基づいて当該確立された通信回線を一度切断するとともに、認識されたデータ転送の内容及び転送指示が為された通信端末装置２００に基づいて、クライアントとして再度通信端末装置２００に通信要求を送信して通信回線を再度確立し、当該認識されたデータ転送の内容に応じて通信端末装置２００から所定のデータの取得又は通信端末装置２００に所定のデータの提供を行うようになっている。【選択図】  図１
2008205520.tif 000002
【特許請求の範囲】
【請求項１】
データの転送指示を行う第１通信端末装置とデータの転送制御を行う第２通信端末装置との通信端末装置間にてデータ転送を行う際に、通信回線の確立時にサーバまたはクライアントの何れかの機能を設定し、当該クライアント機能を有する通信端末装置の転送要求に基づいてデータ転送が行われるデータ転送方法において、
前記第１通信端末装置が、前記クライアントとして、所定の指示に基づいて前記第２通信端末装置に対して、通信回線を確立して所定のデータの転送指示を行う転送指示工程と、
前記第２通信端末装置が、前記第１通信端末装置からの転送指示を認識した後に確立されている通信回線を切断する切断工程と、
前記通信回線を切断した後に、前記第２通信端末装置が、前記クライアントとして、前記認識した第１通信端末装置に対して通信回線を再度確立してデータの転送要求を行う転送要求工程と、
前記第１通信端末装置が、前記第２通信端末装置からの転送要求に基づいて、所定のデータの第２通信端末装置への提供または第２通信端末装置からの所定のデータの取得の少なくとも何れか一方を行うデータ転送工程と、
を含むことを特徴とするデータ転送方法。
【請求項２】
他の通信端末装置におけるデータの転送制御に基づいて、当該他の通信端末装置とのデータ転送を行う際に、当該他の通信端末装置との通信回線の確立時にサーバまたはクライアントの何れかの機能を設定し、前記クライアントに設定された場合に当該他の通信端末装置に対して転送指示を行う転送指示用通信端末装置において、
前記クライアントとして、所定の指示に基づいて前記他の通信端末装置に対して、通信回線を確立して所定のデータの転送指示を行う転送指示手段と、
前記転送指示の転送後に前記他の通信端末装置からの切断指示に基づいて前記通信回線を切断する切断手段と、
前記他の通信端末装置の通信要求に基づいて当該他の通信端末装置と通信回線をサーバとして再度確立する確立手段と、
前記通信回線が再度確立された際に、前記他の通信端末装置から送信された転送要求を受信する受信手段と、
前記受信された転送要求に基づいて、所定のデータの前記他の通信端末装置への提供または前記他の通信端末装置からの所定のデータの取得の少なくとも何れか一方を行う転送手段と、
を備えることを特徴とする転送指示用通信端末装置。
【請求項３】
請求項２に記載の転送指示用通信端末装置において、
前記転送指示手段が、当該転送指示用通信端末装置の識別情報、または、転送すべきデータの種別を示す種別情報の少なくとも何れか一方の情報に基づいて他の通信端末装置に対してデータ転送の転送指示を行うことを特徴とする転送指示用通信端末装置。
【請求項４】
請求項２または３に記載の転送指示用通信端末装置において、
所定のデータを前記他の通信端末装置に提供する場合に、
前記転送指示手段によって転送指示が為された際に、前記転送に係る所定のデータを他のデータとは異なる所定の記憶手段の記憶領域に記憶する記憶制御手段を更に備えることを特徴とする転送指示用通信端末装置。
【請求項５】
請求項２乃至４の何れか一項に記載の転送指示用通信端末装置において、
前記転送指示手段が、前記転送指示として、所定のデータの前記他の通信端末装置への提供または前記他の通信端末装置からの所定のデータの取得の少なくとも何れか一方の指示を行うことを特徴とする転送指示用通信端末装置。
【請求項６】
請求項２乃至５の何れか一項に記載の転送指示用通信端末装置において、
前記転送手段が、所定のデータを前記他の通信端末装置に提供する場合に、転送すべきデータの種別を示す種別情報または当該データの名称を示す名称情報の少なくとも何れか一方の情報を提供することを特徴とする転送指示用通信端末装置。
【請求項７】
他の通信端末装置におけるデータの転送指示に基づいて当該他の通信端末装置とのデータ転送を行う際に、当該他の通信端末装置と通信回線の確立時にサーバまたはクライアントの何れかの機能を設定し、当該クライアントに設定された場合に当該他の通信端末装置に対して転送要求を行い、データの転送制御を行う転送制御用通信端末装置において、
前記他の通信端末装置の通信要求に基づいて、当該他の通信端末装置との通信回線を前記サーバとして確立し、所定のデータの転送指示を受信する通信制御手段と、
前記受信された他の通信端末装置の転送指示の内容を認識する認識手段と、
前記他の通信端末装置からの転送指示の内容を認識した後に確立されている通信回線の切断を制御する切断制御手段と、
前記通信回線を切断した後に、前記クライアントとして、前記認識した他の通信端末装置に対して通信回線を再度確立してデータの転送要求を行う転送要求手段と、
前記転送要求に基づいて前記他の通信端末装置から提供される所定のデータの受信または前記転送要求に基づく当該他の通信端末装置への所定のデータの送信の少なくとも何れか一方を行う送受信手段と、
を備えることを特徴とする転送制御用通信端末装置。
【請求項８】
請求項７に記載の転送制御用通信端末装置において、
前記認識手段が、前記転送指示を行う他の通信端末装置の識別情報、および、転送すべきデータの種別を示す種別情報の少なくとも何れか一方の情報を認識することを特徴とする転送制御用通信端末装置。
【請求項９】
請求項７または８に記載の転送指示用通信端末装置において、
所定のデータを前記他の通信端末装置から取得する場合に、
送受信手段が、前記他の通信端末装置が有する所定の記憶手段の記憶領域から転送に係る所定のデータを取得することを特徴とする転送制御用通信端末装置。
【請求項１０】
請求項７乃至９の何れか一項に記載の転送制御用通信端末装置において、
前記通信制御手段が、前記転送指示として、前記他の通信端末装置から提供される所定のデータの受信または前記他の通信端末装置への所定のデータの送信の少なくとも何れか一方の指示を受信することを特徴とする転送制御用通信端末装置。
【請求項１１】
請求項７乃至１０の何れか一項に記載の転送制御用通信端末装置において、
前記送受信手段が、前記他の通信端末装置から提供される所定のデータを受信する場合に、転送すべきデータの種別を示す種別情報または当該データの名称を示す名称情報の少なくとも何れか一方の情報を受信することを特徴とする転送制御用通信端末装置。
【請求項１２】
データの転送指示を行う第１通信端末装置とデータの転送制御を行う第２通信端末装置との通信端末装置間にてデータ転送を行う際に、通信回線の確立時にサーバまたはクライアントの何れかの機能を設定し、当該クライアント機能を有する通信端末装置の転送要求に基づいてデータ転送が行われるデータ転送システムにおいて、
前記第１通信端末装置が、
前記クライアントとして、所定の指示に基づいて前記第２通信端末装置に対して、通信回線を確立して所定のデータの転送指示を行う転送指示手段と、
前記転送指示の転送後に前記第２通信端末装置からの切断指示に基づいて前記通信回線を切断する切断手段と、
前記第２通信端末装置の通信要求に基づいて当該第２通信端末装置と通信回線をサーバとして再度確立する確立手段と、
前記通信回線が再度確立された際に、前記第２通信端末装置から送信された転送要求を受信する受信手段と、
前記受信された転送要求に基づいて、所定のデータの前記第２通信端末装置への提供または前記第２通信端末装置からの所定のデータの取得の少なくとも何れか一方を行う転送手段と、
を備えるとともに、
第２通信端末装置が、
前記第１通信端末装置の通信要求に基づいて、当該第１通信端末装置との通信回線を前記サーバとして確立し、所定のデータの転送指示を受信する通信制御手段と、
前記受信された第１通信端末装置の転送指示の内容を認識する認識手段と、
前記第１通信端末装置からの転送指示の内容を認識した後に確立されている通信回線の切断を制御する切断制御手段と、
前記通信回線を切断した後に、前記クライアントとして、前記認識した第１通信端末装置に対して通信回線を再度確立してデータの転送要求を行う転送要求手段と、
前記転送要求に基づいて前記第１通信端末装置から提供される所定のデータの受信または前記転送要求に基づく当該第１通信端末装置への所定のデータの送信の少なくとも何れか一方を行う送受信手段と、
を備えることを特徴とするデータ転送システム。
【請求項１３】
コンピュータによって、他の通信端末装置におけるデータの転送制御に基づいて、当該他の通信端末装置とのデータ転送を行う際に、当該他の通信端末装置との通信回線の確立時にサーバまたはクライアントの何れかの機能を設定し、前記クライアントに設定された場合に当該他の通信端末装置に対して転送指示を行う転送指示プログラムにおいて、
前記コンピュータを、
前記クライアントとして、所定の指示に基づいて前記他の通信端末装置に対して、通信回線を確立して所定のデータの転送指示を行う転送指示手段、
前記転送指示の転送後に前記他の通信端末装置からの切断指示に基づいて前記通信回線を切断する切断手段、
前記他の通信端末装置の通信要求に基づいて当該他の通信端末装置と通信回線をサーバとして再度確立する確立手段、
前記通信回線が再度確立された際に、前記他の通信端末装置から送信された転送要求を受信する受信手段、
前記受信された転送要求に基づいて、所定のデータの前記他の通信端末装置への提供または前記他の通信端末装置からの所定のデータの取得の少なくとも何れか一方を行う転送手段、
として機能させることを特徴とする転送指示プログラム。
【請求項１４】
前記コンピュータによって、他の通信端末装置におけるデータの転送指示に基づいて当該他の通信端末装置とのデータ転送を行う際に、当該他の通信端末装置と通信回線の確立時にサーバまたはクライアントの何れかの機能を設定し、当該クライアントに設定された場合に当該他の通信端末装置に対して転送要求を行い、データの転送制御を行う転送制御プログラムにおいて、
前記他の通信端末装置の通信要求に基づいて、当該他の通信端末装置との通信回線を前記サーバとして確立し、所定のデータの転送指示を受信する通信制御手段、
前記受信された他の通信端末装置の転送指示の内容を認識する認識手段、
前記他の通信端末装置からの転送指示の内容を認識した後に確立されている通信回線の切断を制御する切断制御手段、
前記通信回線を切断した後に、前記クライアントとして、前記認識した他の通信端末装置に対して通信回線を再度確立してデータの転送要求を行う転送要求手段、
前記転送要求に基づいて前記他の通信端末装置から提供される所定のデータの受信または前記転送要求に基づく当該他の通信端末装置への所定のデータの送信の少なくとも何れか一方を行う送受信手段、
として機能させることを特徴とする転送制御プログラム。
【発明の詳細な説明】
【技術分野】
【０００１】
本発明は、通信端末装置間におけるデータ転送の技術分野に属する。
【背景技術】
【０００２】
近年、パーソナルコンピュータ、ＰＤＡ（Personal Digital Assistant）または携帯用電話機などの通信端末装置の発展により、ＵＳＢ（Universal Serial Bus）またはＩＥＥＥ１３９４（the Institute of Electrical and Electronics Engineers 1394）などの通信規格の発展、および、当該各通信規格の浸透により、各通信端末装置間においてネットワークを構築し、任意のデータを他の通信端末装置に転送する技術が一般化している。
【０００３】
従来、例えば、ＨＴＴＰ（Hypertext Transfer Protocol）に代表されるサーバ／クライアント型の通信プロトコルでは、データの転送を行う場合に、データの転送要求を行う通信端末装置が、他の通信端末装置と通信回線を確立し、当該他の通信端末装置に内部のデータを閲覧しつつ、データの取得および提供を行うようになっている。
【発明の開示】
【発明が解決しようとする課題】
【０００４】
しかしながら、従来のサーバ／クライアント型の通信プロトコルによって、データ転送では、データが提供されるまたはデータが取得される通信端末装置の内部を閲覧しつつデータ転送を行うことになるので、転送に係るデータ以外のデータまたはそのデータ構造および転送に係るデータの詳細な情報を、データの転送要求を行う通信端末装置に、必然的に通知してしまうこととなる。したがって、このような転送方法では、データが提供されるまたはデータが取得される通信端末装置において、プライベートな情報など秘匿事項が漏洩してしまう可能性がある。
【０００５】
本発明は、上記の課題の一例を解決するものとして、転送に係るデータ以外のデータまたはそのデータ構造および転送に係るデータの詳細な情報を、データの転送要求を行う通信端末装置に通知することなく、情報の漏洩を防止することのできるデータ転送方法およびそれを行う通信端末装置を提供することにある。
【課題を解決するための手段】
【０００６】
上記の課題を解決するために、請求項１に記載の発明は、データの転送指示を行う第１通信端末装置とデータの転送制御を行う第２通信端末装置との通信端末装置間にてデータ転送を行う際に、通信回線の確立時にサーバまたはクライアントの何れかの機能を設定し、当該クライアント機能を有する通信端末装置の転送要求に基づいてデータ転送が行われるデータ転送方法において、前記第１通信端末装置が、前記クライアントとして、所定の指示に基づいて前記第２通信端末装置に対して、通信回線を確立して所定のデータの転送指示を行う転送指示工程と、前記第２通信端末装置が、前記第１通信端末装置からの転送指示を認識した後に確立されている通信回線を切断する切断工程と、前記通信回線を切断した後に、前記第２通信端末装置が、前記クライアントとして、前記認識した第１通信端末装置に対して通信回線を再度確立してデータの転送要求を行う転送要求工程と、前記第１通信端末装置が、前記第２通信端末装置からの転送要求に基づいて、所定のデータの第２通信端末装置への提供または第２通信端末装置からの所定のデータの取得の少なくとも何れか一方を行うデータ転送工程と、を含む構成を有している。
【０００７】
また、請求項２に記載の発明は、他の通信端末装置におけるデータの転送制御に基づいて、当該他の通信端末装置とのデータ転送を行う際に、当該他の通信端末装置との通信回線の確立時にサーバまたはクライアントの何れかの機能を設定し、前記クライアントに設定された場合に当該他の通信端末装置に対して転送指示を行う転送指示用通信端末装置において、前記クライアントとして、所定の指示に基づいて前記他の通信端末装置に対して、通信回線を確立して所定のデータの転送指示を行う転送指示手段と、前記転送指示の転送後に前記他の通信端末装置からの切断指示に基づいて前記通信回線を切断する切断手段と、前記他の通信端末装置の通信要求に基づいて当該他の通信端末装置と通信回線をサーバとして再度確立する確立手段と、前記通信回線が再度確立された際に、前記他の通信端末装置から送信された転送要求を受信する受信手段と、前記受信された転送要求に基づいて、所定のデータの前記他の通信端末装置への提供または前記他の通信端末装置からの所定のデータの取得の少なくとも何れか一方を行う転送手段と、を備える構成を有している。
【０００８】
また、請求項７に記載の発明は、他の通信端末装置におけるデータの転送指示に基づいて当該他の通信端末装置とのデータ転送を行う際に、当該他の通信端末装置と通信回線の確立時にサーバまたはクライアントの何れかの機能を設定し、当該クライアントに設定された場合に当該他の通信端末装置に対して転送要求を行い、データの転送制御を行う転送制御用通信端末装置において、前記他の通信端末装置の通信要求に基づいて、当該他の通信端末装置との通信回線を前記サーバとして確立し、所定のデータの転送指示を受信する通信制御手段と、前記受信された他の通信端末装置の転送指示の内容を認識する認識手段と、前記他の通信端末装置からの転送指示の内容を認識した後に確立されている通信回線の切断を制御する切断制御手段と、前記通信回線を切断した後に、前記クライアントとして、前記認識した他の通信端末装置に対して通信回線を再度確立してデータの転送要求を行う転送要求手段と、前記転送要求に基づいて前記他の通信端末装置から提供される所定のデータの受信または前記転送要求に基づく当該他の通信端末装置への所定のデータの送信の少なくとも何れか一方を行う送受信手段と、を備える構成を有している。
【０００９】
また、請求項１２に記載の発明は、データの転送指示を行う第１通信端末装置とデータの転送制御を行う第２通信端末装置との通信端末装置間にてデータ転送を行う際に、通信回線の確立時にサーバまたはクライアントの何れかの機能を設定し、当該クライアント機能を有する通信端末装置の転送要求に基づいてデータ転送が行われるデータ転送システムにおいて、前記第１通信端末装置が、前記クライアントとして、所定の指示に基づいて前記第２通信端末装置に対して、通信回線を確立して所定のデータの転送指示を行う転送指示手段と、前記転送指示の転送後に前記第２通信端末装置からの切断指示に基づいて前記通信回線を切断する切断手段と、前記第２通信端末装置の通信要求に基づいて当該第２通信端末装置と通信回線をサーバとして再度確立する確立手段と、前記通信回線が再度確立された際に、前記第２通信端末装置から送信された転送要求を受信する受信手段と、前記受信された転送要求に基づいて、所定のデータの前記第２通信端末装置への提供または前記第２通信端末装置からの所定のデータの取得の少なくとも何れか一方を行う転送手段と、を備えるとともに、第２通信端末装置が、前記第１通信端末装置の通信要求に基づいて、当該第１通信端末装置との通信回線を前記サーバとして確立し、所定のデータの転送指示を受信する通信制御手段と、前記受信された第１通信端末装置の転送指示の内容を認識する認識手段と、前記第１通信端末装置からの転送指示の内容を認識した後に確立されている通信回線の切断を制御する切断制御手段と、前記通信回線を切断した後に、前記クライアントとして、前記認識した第１通信端末装置に対して通信回線を再度確立してデータの転送要求を行う転送要求手段と、前記転送要求に基づいて前記第１通信端末装置から提供される所定のデータの受信または前記転送要求に基づく当該第１通信端末装置への所定のデータの送信の少なくとも何れか一方を行う送受信手段と、を備える構成を有している。
【００１０】
また、請求項１３に記載の発明は、コンピュータによって、他の通信端末装置におけるデータの転送制御に基づいて、当該他の通信端末装置とのデータ転送を行う際に、当該他の通信端末装置との通信回線の確立時にサーバまたはクライアントの何れかの機能を設定し、前記クライアントに設定された場合に当該他の通信端末装置に対して転送指示を行う転送指示プログラムにおいて、前記コンピュータを、前記クライアントとして、所定の指示に基づいて前記他の通信端末装置に対して、通信回線を確立して所定のデータの転送指示を行う転送指示手段、前記転送指示の転送後に前記他の通信端末装置からの切断指示に基づいて前記通信回線を切断する切断手段、前記他の通信端末装置の通信要求に基づいて当該他の通信端末装置と通信回線をサーバとして再度確立する確立手段、前記通信回線が再度確立された際に、前記他の通信端末装置から送信された転送要求を受信する受信手段、前記受信された転送要求に基づいて、所定のデータの前記他の通信端末装置への提供または前記他の通信端末装置からの所定のデータの取得の少なくとも何れか一方を行う転送手段、として機能させる構成を有している。
【００１１】
また、請求項１４に記載の発明は、コンピュータによって、他の通信端末装置におけるデータの転送指示に基づいて当該他の通信端末装置とのデータ転送を行う際に、当該他の通信端末装置と通信回線の確立時にサーバまたはクライアントの何れかの機能を設定し、当該クライアントに設定された場合に当該他の通信端末装置に対して転送要求を行い、データの転送制御を行う転送制御プログラムにおいて、前記他の通信端末装置の通信要求に基づいて、当該他の通信端末装置との通信回線を前記サーバとして確立し、所定のデータの転送指示を受信する通信制御手段、前記受信された他の通信端末装置の転送指示の内容を認識する認識手段、前記他の通信端末装置からの転送指示の内容を認識した後に確立されている通信回線の切断を制御する切断制御手段、前記通信回線を切断した後に、前記クライアントとして、前記認識した他の通信端末装置に対して通信回線を再度確立してデータの転送要求を行う転送要求手段、前記転送要求に基づいて前記他の通信端末装置から提供される所定のデータの受信または前記転送要求に基づく当該他の通信端末装置への所定のデータの送信の少なくとも何れか一方を行う送受信手段、として機能させる構成を有している。
【発明を実施するための最良の形態】
【００１２】
次に、本発明に好適な実施の形態について、図面に基づいて説明する。
【００１３】
以下に説明する実施の形態は、パーソナルコンピュータなどの通信端末装置と、ナビゲーション装置などの他の通信端末装置とデータ通信を行う情報処理装置とから構成される転送システムに対して本願のデータ転送方法、転送指示用通信端末装置および転送制御用通信端末装置を適用した場合の実施形態である。また、以下の説明では、例えば、ＨＴＴＰ（Hypertext Transfer Protocol）またはＦＴＰ（File Transfer Protocol）などのサーバ／クライアント型の通信プロトコルにてデータ転送を行うものとして説明する。そして、情報処理装置は、液晶ディスプレイなどの表示制御部を含む表示部およびリモートコントロールユニットなどの操作装置と接続可能に構成される。
【００１４】
まず、図１に用いて本願に係るデータ転送システムの概要構成について説明する。なお、図１は、本願に係るデータ転送システムの概要の構成を示すブロック図である。
【００１５】
本実施形態のデータ転送システム１００は、図１に示すように、操作者の指示に基づいてデータ転送の指示を行う通信端末装置２００と、当該通信端末装置２００におけるデータ転送指示に基づいてデータ転送制御を行う情報処理装置３００と、から構成されており、通信端末装置２００および情報処理装置３００間は、無線または有線によって互いに接続されている。
【００１６】
なお、例えば、本実施形態の通信制御装置は、本発明の第１通信端末装置２００および転送指示用通信端末装置２００を構成し、情報処理装置３００は、本発明の第２通信端末装置２００および転送制御用通信端末装置２００を構成する。
【００１７】
通信端末装置２００は、操作者によって所定のデータのデータ転送を行う旨の指示が入力されると、クライアントとして情報処理装置３００に通信開始を示す通信要求を送信するとともに、情報処理装置３００との通信回線を確立するようになっている。
【００１８】
また、情報処理装置３００は、通信要求を受信してサーバとして通信端末装置２００との通信回線を確立すると、通信要求に基づいてデータ転送の内容および通信端末装置２００を認識し、通信端末装置２００の指示に基づいて当該確立された通信回線を一度切断するようになっている。そして、情報処理装置３００は、認識されたデータ転送の内容および転送指示が為された通信端末装置２００に基づいて、クライアントとして再度通信端末装置２００に通信要求を送信するとともに、通信回線を再度確立し、当該認識されたデータ転送の内容に応じて通信端末装置２００から所定のデータの取得または通信端末装置２００に所定のデータの提供を行うようになっている。
【００１９】
このとき、通信端末装置２００は、サーバとして情報通信端末装置２００の制御に基づいて、情報処理装置３００から所定のデータの取得および所定のデータの当該情報通信端末装置２００への提供を行うようになっている。
【００２０】
このように、本実施形態のデータ転送システム１００は、クライアントとして操作者の操作に基づく通信端末装置２００からの転送指示を認識した後に通信回線を一度切断させ、情報処理装置３００によって再度クライアントとして通信端末装置２００に対して通信回線を確立して所定のデータの転送制御を行うようになっており、情報処理装置３００の転送に係るデータ以外のデータまたはそのデータ構造および転送に係るデータの詳細な情報を通信端末装置２００に閲覧および通知することなく、所定のデータのデータ転送を行うことができるので、データ転送時における情報の漏洩を防止することのできるようになっている。
【００２１】
次に、同様にして図１を用いて通信端末装置２００の構成について説明する。
【００２２】
通信端末装置２００は、図１に示すように、情報処理装置３００との通信制御を行う端末装置用通信制御部２１０と、転送すべきデータ（以下、「転送データ」ともいう。）その他のデータが格納されるデータ格納部２２０と、データを転送する際に用いる表示部２３０と、表示部２３０を制御する表示制御部２４０と、表示部２３０と連動してデータを転送する際に用いる操作部２５０と、転送データを転送する際に当該転送データの管理を行うとともに所定のデータを転送する際およびその他の処理を行う際に各部を制御する端末装置用システム制御部２６０と、端末装置用システム制御部２６０が各部を制御する際に用いる端末装置用ＲＯＭ／ＲＡＭ２７０と、を備え、各部はバスＢによって互いに接続されている。
【００２３】
なお、例えば、本実施形態の端末装置用通信制御部２１０は、本発明の切断手段、確立手段、転送手段および受信手段を構成し、データ格納部２２０は、本発明の記憶手段を構成する。また、例えば、本実施形態のシステム制御部は、転送指示手段および記憶制御手段を構成する。
【００２４】
端末装置用通信制御部２１０は、所定の有線の通信線または無線によって情報処理装置３００と接続されるようになっており、当該情報処理装置３００との通信を行う際に所定の制御およびデータの授受を行うようになっている。
【００２５】
この端末装置用通信制御部２１０は、ＵＳＢ用、ＩＥＥＥ１３９４用またはブルートゥース（登録商標）などの近距離無線用の通信インターフェースを有し、情報処理装置３００からの通信要求に基づいて、または、端末装置用システム制御部２６０の制御の下、情報処理装置３００との通信回線の確立および転送データなどの所定のデータの授受を行うようになっている。
【００２６】
データ格納部２２０には、例えば、音楽データまたはナビゲーション処理に用いる地点データなどの転送データその他のデータが格納されるようになっており、端末装置用システム制御部２６０の制御の下、データ転送を行う際に、所定のデータを端末装置用ＲＯＭ／ＲＡＭ２７０に出力するようになっている。
【００２７】
表示部２３０は、例えば、ＣＲＴまたは液晶ディスプレイによって構成されており、主に所定のデータを転送する際の操作に用いられ、操作部２５０と連動して転送すべきデータの特定など操作指示に関する所定の画像を表示するようになっている。
【００２８】
表示制御部２４０は、端末装置用システム制御部２６０の制御下、表示部２３０に表示する画像データを生成するようになっており、特に、操作部２５０と表示部２３０を連動させるため、転送すべきデータの特定など操作指示に関する所定の画像データを生成し、生成された画像データを所定のタイミングにて表示部２３０に出力するようになっている。
【００２９】
操作部２５０は、各種確認ボタン、選択ボタン及び数字キー等の多数のキーを含むキーボードおよび入力ポインティングデバイスの一つであるマウス等により構成されており、特に、表示部２３０と連動して転送すべきデータの特定など操作者の操作指示を行う際に用いられるようになっている。
【００３０】
端末装置用システム制御部２６０は、主に、中央演算処理装置（以下、ＣＰＵという。）から構成され、通信ポート、キー入力ポート、表示制御ポート等の各種入出力ポートを含み、情報処理装置３００との通信制御に関する処理（以下、「通信制御処理」という。）および所定のアプリケーションプログラムの実行に関する処理（以下、単に、「プログラム実行処理」という。）など各種処理を行うための全般的な機能を総括的に制御するようになっている。
【００３１】
特に、本実施形態の端末装置用システム制御部２６０は、操作者の操作指示に基づいて情報処理装置３００と通信を行う際に、クライアントとして起動させ、当該クライアントとして当該情報処理装置３００との通信を制御するようになっている。そして、この端末装置用システム制御部２６０は、クライアントとして情報処理装置３００と通信が通信回線の切断により終了した後に、当該情報処理装置３００の通信要求に基づいて再度通信が開始された場合には、サーバとして起動させ、当該サーバとして当該情報処理装置３００とデータ転送における通信を制御するようになっている。
【００３２】
また、この端末装置用システム制御部２６０は、データ格納部２２０に格納されたデータおよび情報処理装置３００から転送されたデータのデータ管理を行うようになっており、具体的には、情報処理装置３００に所定のデータを転送する際に、転送すべきデータをデータ格納部２２０から読み出して端末装置用ＲＯＭ／ＲＡＭ２７０に記憶するとともに、転送すべきデータのリストを生成し、生成されたリストデータ（以下、単に「リストデータ」という。）を端末装置用ＲＯＭ／ＲＡＭ２７０に記憶するようになっている。その一方、この端末装置用システム制御部２６０は、情報処理装置３００から転送されてきたデータを既に格納されたデータに関連づけて、または、プログラム実行処理の際に用いられるデータとしてデータ格納部２２０に格納する格納制御を行うようになっている。
【００３３】
なお、本実施形態におけるリストデータには、後述するように、情報処理装置３００にて再生可能な音楽データまたは情報処理装置３００がナビゲーション装置として機能する際に、経路誘導に用いられる地点データなどの種別データおよび転送データにおけるファイル名などの転送データに関する情報が規定されている。
【００３４】
端末装置用ＲＯＭ／ＲＡＭ２７０には、所定の動作を行う際の制御プログラムおよびアプリケーションプログラムが記憶されているとともに、所定のデータを情報処理装置３００に転送する場合に、転送データおよびリストデータが記憶されるようになっている。
【００３５】
次に、同様にして図１を用いて情報処理装置３００の構成について説明する。
【００３６】
本実施形態の情報処理装置３００は、図１に示すように、通信端末装置２００との通信制御を行う情報処理装置用通信制御部３１０と、転送データなど当該情報処理装置３００にて用いる各種データが記憶されるデータ記憶部３２０と、通信端末装置２００と所定のデータを転送する際の転送制御、当該転送制御の際に各部の制御および転送にて取得されたデータに基づいて所定のアプリケーションプログラムを実行する際に各部を制御する情報処理装置用システム制御部３３０と、情報処理装置用システム制御部３３０が各部を制御する際に用いる情報処理装置用ＲＯＭ／ＲＡＭ３４０と、を備え、各部はバスＢによって互いに接続されている。
【００３７】
なお、例えば、本実施形態の通信制御部は、本発明の通信制御手段、切断制御手段および送受信手段を構成し、システム制御部は、本発明の認識手段および転送要求手段を構成する。
【００３８】
情報処理装置用通信制御部３１０は、所定の有線の通信線または無線によって通信端末装置２００と接続されるようになっており、当該通信端末装置２００との通信を行う際に所定の制御およびデータの授受を行うようになっている。
【００３９】
この情報処理装置用通信制御部３１０は、ＵＳＢ用、ＩＥＥＥ１３９４用またはブルートゥース（登録商標）などの近距離無線用の通信インターフェースを有し、通信端末装置２００からの通信要求に基づいて、または、情報処理装置用システム制御部３３０の制御の下、通信端末装置２００との通信回線の確立および転送データなどの所定のデータの授受を行うようになっている。
【００４０】
データ記憶部３２０は、データ格納部２２０と同様に、例えば、音楽データまたはナビゲーション処理に用いる地点データなど当該情報処理装置３００にて用いる各種データが記憶される。
【００４１】
情報処理装置用システム制御部３３０は、主に、ＣＰＵとから構成され、通信ポート等の各種入出力ポートを含み、通信端末装置２００との通信制御に関する通信制御処理および所定のアプリケーションプログラムの実行に関する処理など各種処理を行うための全般的な機能を総括的に制御するようになっている。
【００４２】
本実施形態の情報処理装置用システム制御部３３０は、通信端末装置２００から送信された転送指示に基づいて、所定のデータの当該通信端末装置２００への提供または所定のデータの当該通信端末装置２００からの取得に関する制御（以下、「転送制御」という。）を行うようになっている。
【００４３】
特に、本実施形態の情報処理装置用システム制御部３３０は、通信端末装置２００から送信された転送指示に基づいて当該通信端末装置２００と通信を行う際に、サーバとして起動させ、当該サーバとして当該通信端末装置２００との通信を制御するようになっている。また、この情報処理装置用システム制御部３３０は、サーバとして転送を行う通信端末装置２００および転送すべきデータなど通信端末装置２００の転送指示を認識し、認識した後に、通信端末装置２００との通信回線を一時切断させるようになっている。そして、この情報処理装置用システム制御部３３０は、クライアントとして起動させ、認識された転送指示に基づいて通信端末装置２００との通信を再び確立し、転送データの取得するための通信制御または提供するための通信制御を行うようになっている。
【００４４】
情報処理装置用ＲＯＭ／ＲＡＭ３４０には、所定の動作を行う際の制御プログラムが記憶されているとともに、所定のデータを情報処理装置３００に転送する場合に、転送データおよびリストデータが記憶されるようになっている。
【００４５】
次に、図２〜図４を用いて本実施形態における通信端末装置２００と情報処理装置３００との間における所定の転送動作を各通信制御処理を含めて説明する。なお、図２〜図４は、本実施形態における通信端末装置２００と情報処理装置３００の各通信制御処理を含む当該各装置間における転送動作を示すフローチャートである。
【００４６】
以下の説明において、通信端末装置２００および情報処理装置３００は、予め有線によって物理的に接続されているもとし、かつ、互いにその接続を認識しているものとし、通信回線の確立を行うことができるものとする。また、転送の対象となる転送データは、それぞれ、データ格納部２２０およびデータ記憶部３２０に記憶されているものとする。
【００４７】
まず、通信端末装置２００において、操作部２５０を介して操作者によって所定のデータの情報処理装置３００からの取得または当該情報処理装置３００への提供の指示内容（以下、「転送指示内容」という。）を含めてデータ転送を行う旨の指示（以下、「転送指示」という。）が入力され、端末装置用システム制御部２６０が当該転送指示の入力を検出すると（ステップＳ１０１）、当該端末装置用システム制御部２６０は、検出された操作指示に基づいて、所定のデータの情報処理装置３００からの取得（以下、「データ取得」ともいう。）か、または、当該情報処理装置３００への提供（以下、「データ提供」という）かを判別する（ステップＳ１０２）。このとき、端末装置用システム制御部２６０は、所定のデータの情報処理装置３００への提供であると判別したときには、ステップＳ１０３の処理に移行し、所定のデータの情報処理装置３００からの取得であると判別したときには、ステップＳ１０５の処理に移行する。
【００４８】
次いで、端末装置用システム制御部２６０は、ステップＳ１０２の処理において、所定のデータの情報処理装置３００への提供であると判別したときには、データ格納部２２０から転送すべきデータを読み出し、端末装置用ＲＯＭ／ＲＡＭ２７０に記憶する（ステップＳ１０３）。
【００４９】
次いで、端末装置用システム制御部２６０は、音楽データまたは地点データなどのデータ種別および転送すべきデータのファイル名などの転送すべきデータに関するリストデータを生成し、生成したリストデータを端末装置用ＲＯＭ／ＲＡＭ２７０に記憶する（ステップＳ１０４）。
【００５０】
次いで、端末装置用システム制御部２６０は、端末装置用通信制御部２１０に情報処理装置３００に対して指示入力されたデータ転送に関する通信要求を、転送指示内容を示す情報（以下、「転送指示情報」という。）および当該通信端末装置２００の識別情報（以下、「端末識別情報」という。）とともに送信させ、当該通信要求に対する応答の受信を待機させる（ステップＳ１０５）。
【００５１】
次いで、情報処理装置３００において、通信端末装置２００から送信されたデータ転送に関する通信要求を情報処理装置用通信制御部３１０が受信すると（ステップＳ２０１）、当該情報処理装置用通信制御部３１０は、当該通信要求が為された通信端末装置２００と認証その他の処理を行い、通信回線の確立を許可する旨を通信端末装置２００に送信する（ステップＳ２０２）。
【００５２】
次いで、情報処理装置用システム制御部３３０は、端末識別情報および転送指示情報に基づいて、転送指示内容およびデータ転送を行う通信端末装置２００を認識し、通信回線の切断指示の受信を待機させる（ステップＳ２０３）。
【００５３】
次いで、通信端末装置２００において、端末装置用システム制御部２６０は、端末装置用通信制御部２１０を介して通信回線の確立を許可する旨、すなわち、ステップＳ１０５の処理において送信した通信要求に対する応答を受信すると（ステップＳ１０６）、情報処理装置３００との通信回線を確立する（ステップＳ１０７）。
【００５４】
なお、端末装置用通信制御部２１０は、ステップＳ１０６の処理において、ステップＳ１０５の処理にて通信要求を情報処理装置３００に送信した後に所定の時間内に当該通信要求に対する応答を受信しない場合には、または、当該通信要求を受信したものの、通信回線の確立を許可しない旨を受信すると、本動作を終了する。
【００５５】
次いで、端末装置用システム制御部２６０は、端末装置用通信制御部２１０に情報処理装置３００に対して通信回線の切断指示を送信させ、その応答の受信を待機させる（ステップＳ１０８）。
【００５６】
次いで、情報処理装置３００において、情報処理装置用通信制御部３１０が通信端末装置２００から送信された切断指示を受信すると（ステップＳ２０４）、情報処理装置用システム制御部３３０は、情報処理装置用通信制御部３１０に切断許可を通信端末装置２００に対して送信させ、当該通信端末装置２００との通信回線を切断する（ステップＳ２０５）。
【００５７】
なお、情報処理装置用通信制御部３１０は、ステップＳ２０４の処理において、ステップＳ２０３の処理にて通信回線の確立許可を情報処理装置３００に送信した後に所定の時間内に当該切断指示に対する応答を受信しない場合には本動作を終了する。
【００５８】
このとき、通信端末装置２００において、端末装置用通信制御部２１０が情報処理装置３００から送信された通信回線の切断許可を受信すると（ステップＳ１０９）、端末装置用システム制御部２６０は、通信回線を切断し、通信回線の再確立のための通信要求の受信を待機させる（ステップＳ１１０）。
【００５９】
なお、端末装置用通信制御部２１０は、ステップＳ１０９の処理において、ステップＳ１０８の処理にて通信回線の確立許可を情報処理装置３００に送信した後に所定の時間内に当該切断指示に対する応答を受信しない場合には本動作を終了する。
【００６０】
次いで、情報処理装置用システム制御部３３０は、ステップＳ２０３の処理において認識したデータ転送を行う通信端末装置２００に基づいて、情報処理装置用通信制御部３１０に、当該通信端末装置２００に再度通信回線を確立するための通信要求を送信させ、当該通信要求に対する応答の受信を待機させる（ステップＳ２０６）。
【００６１】
次いで、端末装置用通信制御部２１０が情報処理装置３００から送信された再度通信回線を確立するための通信要求を受信すると（ステップＳ１１１）、端末装置用システム制御部２６０は、端末装置用通信制御部２１０に当該通信要求が為された通信端末装置２００と認証その他の処理を行うとともに、通信回線の確立を許可する旨を情報処理装置３００に対して送信させ、転送指示の受信を待機させる（ステップＳ１１２）。
【００６２】
なお、端末装置用通信制御部２１０は、ステップＳ１１１の処理において、ステップＳ１１０の処理にて通信回線を切断した後に所定の時間内に当該通信要求に対する応答を受信しない場合には本動作を終了する。
【００６３】
次いで、情報処理端末装置において、情報処理装置用通信制御部３１０が通信端末装置２００から送信された通信回線の確立を許可する旨を受信すると（ステップＳ２０７）、情報処理装置用システム制御部３３０は、情報処理装置用通信制御部３１０にステップＳ２０３の処理において認識した転送指示情報に基づいて、通信端末装置２００に対して所定のデータの通信端末装置２００からの取得または当該通信端末装置２００への提供の転送内容を示す転送要求を送信させる（ステップＳ２０８）。
【００６４】
なお、情報処理装置用通信制御部３１０は、ステップＳ２０７の処理において、ステップＳ２０６の処理にて通信回線の確立許可を情報処理装置３００に送信した後に所定の時間内に当該通信要求に対する応答を受信しない場合には本動作を終了する。
【００６５】
次いで、情報処理装置用システム制御部３３０は、転送内容情報に基づいて所定のデータの通信端末装置２００からの取得か、所定のデータの当該通信端末装置２００への提供かを判別し（ステップＳ２０９）、所定のデータの通信端末装置２００からの取得と判別したときには、ステップＳ２１０の処理に移行し、所定のデータの当該通信端末装置２００への提供と判別したときには、ステップＳ２１３の処理に移行する。
【００６６】
次いで、情報処理装置用システム制御部３３０は、ステップＳ２０９の処理において所定のデータの通信端末装置２００からの取得と判別したときには、当該データの受信を待機させる（ステップＳ２１０）。
【００６７】
他方、通信端末装置２００において、端末装置用通信制御部２１０が情報処理装置３００から送信された転送要求を受信すると（ステップＳ１１３）、端末装置用システム制御部２６０は、所定のデータの情報処理装置３００からの取得または当該情報処理装置３００への提供かを判別する（ステップＳ１１４）。
【００６８】
なお、端末装置用通信制御部２１０は、ステップＳ１１３の処理において、ステップＳ１１２の処理にて通信回線を切断した後に所定の時間内に当該転送指示に対する応答を受信しない場合には本動作を終了する。
【００６９】
次いで、端末装置用システム制御部２６０は、所定のデータの当該情報処理装置３００への提供と判別すると、端末装置用通信制御部２１０に端末装置用ＲＯＭ／ＲＡＭ２７０に記憶されているリストデータを送信させるとともに、当該情報処理装置３００と連動しつつ当該リスデータに示された該当するデータを順次端末装置用ＲＯＭ／ＲＡＭ２７０から順次読み出させ、情報処理装置３００に送信させる（ステップＳ１１５）。
【００７０】
このとき、情報処理装置３００において、情報処理装置用システム制御部３３０は、情報処理装置用通信制御部３１０を介してリストデータを受信させるとともに、通信端末装置２００と連動しつつ、情報処理装置用通信制御部３１０に当該リストデータに示される該当するデータを順次取得させる（ステップＳ２１１）。そして、情報処理装置用システム制御部３３０は、該当するデータを取得した後に、データの受け取り指示を通信端末装置２００に送信するとともに、情報処理装置用通信制御部３１０に取得させたデータをデータ記憶部３２０に記憶し（ステップＳ２１２）、通信回線を切断して（ステップＳ２１３）本動作を終了する。
【００７１】
次いで、通信端末装置２００において、端末装置用通信制御部２１０が情報処理装置３００から送信されたデータの受け取り指示を受信すると（ステップＳ１１６）、通信回線を切断して（ステップＳ１１７）本動作を終了する。
【００７２】
一方、情報処理装置３００において、情報処理装置用システム制御部３３０は、ステップＳ２０９の処理において所定のデータの当該通信端末装置２００への提供と判別したときには、所定のデータを送信する場合にはその応答の受信を待機させる（ステップＳ２１４）。
【００７３】
そして、通信端末装置２００において、端末装置用システム制御部２６０は、ステップＳ１１４の処理において所定のデータの情報処理装置３００からの取得と判別したときには、端末装置用通信制御部２１０に転送可を示す指示を情報処理装置３００に対して送信させ、その受信を待機させる（ステップＳ１１８）。
【００７４】
次いで、情報処理装置３００において、情報処理装置用システム制御部３３０は、情報処理装置用通信制御部３１０を介して転送可を示す指示を受信すると（ステップＳ２１５）、通信端末装置２００と連動しつつ、情報処理装置用通信制御部３１０に該当するデータをデータ記憶部３２０から取得させるとともに、通信端末装置２００に順次送信させ、データの受け取り指示の受信を待機させる（ステップＳ２１６）。
【００７５】
なお、情報処理装置用通信制御部３１０は、ステップＳ２１５の処理において、ステップＳ２１４の処理にて通信回線の確立許可を情報処理装置３００に送信した後に所定の時間内に当該転送可の指示に対する応答を受信しない場合には本動作を終了する。
【００７６】
次いで、通信端末装置２００において、端末装置用システム制御部２６０は、情報処理装置３００と連動しつつ、端末装置用通信制御部２１０に該当するデータを順次取得させ、データ格納部２２０に格納させる（ステップＳ１１９）。そして、端末装置用システム制御部２６０は、該当するデータを取得した後に、データの受け取り指示を情報処理装置３００に送信するとともに（ステップＳ１２０）、通信回線を切断して（ステップＳ１２１）本動作を終了する。
【００７７】
このとき、情報処理装置３００において、端末装置用システム制御部２６０は、情報処理装置用通信制御部３１０を介して受け取り指示受信すると（ステップＳ２１７）、通信回線を切断して（ステップＳ２１８）本動作を終了する。
【００７８】
以上本実施形態のデータ転送方法は、データの転送指示を行う通信端末装置２００とデータの転送制御を行う情報処理装置３００との通信端末装置２００間にてデータ転送を行う際に、通信回線の確立時にサーバまたはクライアントの何れかの機能を設定し、当該クライアント機能を有する通信端末装置２００の転送要求に基づいてデータ転送が行われるデータ転送方法において、通信端末装置２００が、クライアントとして、所定の指示に基づいて情報処理装置３００に対して、通信回線を確立して所定のデータの転送指示を行う工程と、情報処理装置３００が、通信端末装置２００からの転送指示を認識した後に確立されている通信回線を切断する工程と、通信回線を切断した後に、情報処理装置３００が、クライアントとして、認識した通信端末装置２００に対して通信回線を再度確立してデータの転送要求を行う工程と、通信端末装置２００が、情報処理装置３００からの転送要求に基づいて、所定のデータの情報処理装置３００への提供または情報処理装置３００からの所定のデータの取得の少なくとも何れか一方を行う工程と、を含む構成を有している。
【００７９】
この構成により、本実施形態のデータ転送方法は、通信端末装置２００からの転送指示を認識した後に確立されている通信回線を切断するとともに、当該通信回線を切断した後に、情報処理装置３００が通信端末装置２００に対して通信回線を再度確立してデータの転送要求を行い、当該通信端末装置２００が、当該転送要求に基づいて、所定のデータの情報処理装置３００への提供または情報処理装置３００からの所定のデータの取得の少なくとも何れか一方を行う。
【００８０】
したがって、本実施形態のデータ転送方法は、情報処理装置３００によってデータの転送制御を行うことができるので、転送に係るデータ以外のデータまたはそのデータ構造および転送に係るデータの詳細な情報を、データの転送要求を行う通信端末装置２００に通知することなく、情報の漏洩を防止することができる。
【００８１】
また、本実施形態の通信端末装置２００は、情報処理装置３００におけるデータの転送制御に基づいて、当該情報処理装置３００とのデータ転送を行う際に、当該情報処理装置３００との通信回線の確立時にサーバまたはクライアントの何れかの機能を設定し、クライアントに設定された場合に当該情報処理装置３００に対して転送指示を行う通信端末装置２００において、クライアントとして、所定の指示に基づいて情報処理装置３００に対して、通信回線を確立して所定のデータの転送指示の実行、転送指示の転送後に情報処理装置３００からの切断指示に基づいて通信回線の切断の実行、情報処理装置３００の通信要求に基づいて当該情報処理装置３００と通信回線のサーバとして再確立の実行、および、通信回線が再度確立された際に、情報処理装置３００から送信された転送要求の受信の実行を行う端末装置用通信制御部２１０と、受信された転送要求に基づいて、所定のデータの情報処理装置３００への提供または情報処理装置３００からの所定のデータの取得の少なくとも何れか一方を行う端末装置用システム制御部２６０と、を備える構成を有している。
【００８２】
この構成により、本実施形態の通信端末装置２００は、転送指示を実行し、通信回線が切断された後に、情報処理装置３００が通信端末装置２００に対して通信回線を再度確立して為されたデータの転送要求に基づいて、所定のデータの情報処理装置３００への提供または情報処理装置３００からの所定のデータの取得の少なくとも何れか一方を行う。
【００８３】
したがって、本実施形態の通信端末装置２００は、情報処理装置３００によってデータの転送制御を行うことができるので、転送に係るデータ以外のデータまたはそのデータ構造および転送に係るデータの詳細な情報を、データの転送要求を行う通信端末装置２００に通知することなく、情報の漏洩を防止することができる。
【００８４】
また、本実施形態の通信端末装置２００は、端末装置用システム制御部２６０が、当該通信端末装置２００の識別情報、または、転送すべきデータの種別を示す種別情報の少なくとも何れか一方の情報に基づいて情報処理装置３００に対してデータ転送の転送指示を行う構成を有している。
【００８５】
この構成により、本実施形態の通信端末装置２００は、識別情報、または、種別情報に基づいてデータのデータ転送を行うことができるので、的確にかつ確実に転送データを転送させることができる。
【００８６】
また、本実施形態の通信端末装置２００は、所定のデータを情報処理装置３００に提供する場合に、端末装置用システム制御部２６０が、転送指示が為された際に、転送に係る所定のデータを他のデータとは異なる端末装置用ＲＯＭ／ＲＡＭ２７０に記憶する構成を有している。
【００８７】
この構成により、本実施形態の通信端末装置２００は、端末装置用ＲＯＭ／ＲＡＭ２７０に記憶されたデータを情報処理装置３００に転送することができるので、転送に係るデータ以外のデータまたはそのデータ構造および転送に係るデータの詳細な情報を、データの転送要求を行う通信端末装置２００に通知することなく、情報の漏洩を防止することができる。
【００８８】
また、本実施形態の情報処理装置３００は、通信端末装置２００におけるデータの転送指示に基づいて当該通信端末装置２００とのデータ転送を行う際に、当該通信端末装置２００と通信回線の確立時にサーバまたはクライアントの何れかの機能を設定し、当該クライアントに設定された場合に当該通信端末装置２００に対して転送要求を行い、データの転送制御を行う情報処理装置３００において、通信端末装置２００の通信要求に基づいて、当該通信端末装置２００との通信回線をサーバとして確立し、所定のデータの転送指示を受信する情報処理装置用通信制御部３１０と、受信された通信端末装置２００の転送指示の内容を認識する情報処理装置用システム制御部３３０と、を備え、情報処理装置用通信制御部３１０が、通信端末装置２００からの転送指示の内容を認識した後に確立されている通信回線の切断を制御するとともに、情報処理装置用システム制御部３３０が、通信回線を切断した後に、クライアントとして、認識した通信端末装置２００に対して通信回線を再度確立してデータの転送要求を行い、そして、情報処理装置用システム制御部３３０が、転送要求に基づいて通信端末装置２００から提供される所定のデータの受信または転送要求に基づく当該通信端末装置２００への所定のデータの送信の少なくとも何れか一方を行う構成を有している。
【００８９】
この構成により、本実施形態の情報処理装置３００は、通信端末装置２００からの転送指示の内容を認識した後に確立されている通信回線の切断を制御するとともに、通信回線を切断した後に、クライアントとして、認識した通信端末装置２００に対して通信回線を再度確立してデータの転送要求を行い、そして、転送要求に基づいて通信端末装置２００から提供される所定のデータの受信または転送要求に基づく当該通信端末装置２００への所定のデータの送信の少なくとも何れか一方を行う構成を有している。
【００９０】
したがって、本実施形態の情報処理装置３００は、当該情報処理装置３００によってデータの転送制御を行うことができるので、転送に係るデータ以外のデータまたはそのデータ構造および転送に係るデータの詳細な情報を、データの転送要求を行う通信端末装置２００に通知することなく、情報の漏洩を防止することができる。
【００９１】
また、本実施形態の情報処理装置３００は、情報処理装置用システム制御部３３０が、転送指示を行う通信端末装置２００の識別情報、および、転送すべきデータの種別を示す種別情報の少なくとも何れか一方の情報を認識する構成を有している。
【００９２】
この構成により、本実施形態の情報処理装置３００は、識別情報、または、種別情報に基づいてデータのデータ転送を行うことができるので、的確にかつ確実に転送データを転送させることができる。
【００９３】
また、本実施形態の情報処理装置３００は、所定のデータを通信端末装置２００から取得する場合に、情報処理装置用システム制御部３３０が、端末装置用ＲＯＭ／ＲＡＭ２７０から転送に係る所定のデータを取得する構成を有している。
【００９４】
この構成により、本実施形態の情報処理装置３００は、端末装置用ＲＯＭ／ＲＡＭ２７０に記憶されたデータを情報処理装置３００に転送することができるので、転送に係るデータ以外のデータまたはそのデータ構造および転送に係るデータの詳細な情報を、データの転送要求を行う通信端末装置２００に通知することなく、情報の漏洩を防止することができる。
【００９５】
なお、本実施形態のデータ転送システム１００は、通信端末装置２００から情報処理装置３００にデータを転送する際に、当該転送に係るデータを端末装置用ＲＯＭ／ＲＡＭ２７０に一度記憶するようになっているが、リストデータに基づいてデータ格納部２２０から直接読み出して情報処理装置３００に転送するようにしてもよい。
【００９６】
また、本実施形態では、通信端末装置２００における操作者の指示に基づいて転送指示が情報処理装置３００に為されるようになっているが、当該通信端末装置２００を制御する制御装置によって当該転送指示を行うようにしてもよい。
【００９７】
また、本実施形態では、情報処理装置３００としてナビゲーション装置を例として説明したが、ＰＤＡまたは携帯用電話機などの通信端末装置２００と接続可能な装置であればよい。
【００９８】
また、本実施形態では、端末装置用システム制御部２６０および情報処理装置用システム制御部３３０によって、各通信制御処理を行うようになっているが、所定のデータを格納するための情報記録媒体または当該所定のデータを記憶するための情報記憶媒体を有する通信端末装置２００または情報処理装置３００にコンピュータおよび記録媒体を備え、この記録媒体に上述の通信制御処理を実行する制御プログラムを格納し、この各コンピュータで当該各制御プログラムを読み込むことによって上述と同様の通信制御処理を行うようにしてもよい。
【図面の簡単な説明】
【００９９】
【図１】本願に係るデータ転送システムにおける一実施形態の構成を示すブロック図である。
【図２】一実施形態における通信端末装置と情報処理装置の各通信制御処理を含む当該各装置間における転送動作を示すフローチャート（Ｉ）である。
【図３】一実施形態における通信端末装置と情報処理装置の各通信制御処理を含む当該各装置間における転送動作を示すフローチャート（II）である。
【図４】一実施形態における通信端末装置と情報処理装置の各通信制御処理を含む当該各装置間における転送動作を示すフローチャート（III）である。
【符号の説明】
【０１００】
１００  …  データ転送システム
２００  …  通信端末装置
２１０  …  端末装置用通信制御部
２２０  …  データ格納部
２３０  …  表示部
２４０  …  表示制御部
２５０  …  操作部
２６０  …  端末装置用システム制御部
２７０  …  端末装置用ＲＯＭ／ＲＡＭ
３００  …  情報処理装置
３１０  …  情報処理装置用通信制御部
３２０  …  データ記憶部
３３０  …  情報処理装置用システム制御部
３４０  …  情報処理装置用ＲＯＭ／ＲＡＭ
【図１】
2008205520.tif 000003
【図２】
2008205520.tif 000004
【図３】
2008205520.tif 000005
【図４】
2008205520.tif 000006